(57)【要約】【課題】吊着部を備えた複数の商品パッケージを容易にフックに吊り下げることができる梱包箱を提供する。【解決手段】吊り下げて陳列するための吊着部２３が形成されている商品パッケージ２０を収納するための梱包箱１であって、複数の前記商品パッケージを前記吊着部を整列させた状態で並べて収納でき、複数の前記商品パッケージが前記吊着部が整列するように収納された状態で、前記整列方向から見て前記吊着部の形成領域と重複するように開口部１０ｂが構成されているとともに、前記開口部を両端部とする、前記梱包箱の破断部１０が形成されている。【選択図】図２
2020152386.tif 000002
【特許請求の範囲】
【請求項１】
吊り下げて陳列するための吊着部が形成されている商品パッケージを収納するための梱包箱であって、
複数の前記商品パッケージを前記吊着部を整列させた状態で並べて収納でき、
複数の前記商品パッケージが前記吊着部が整列するように収納された状態で、前記整列方向から見て前記吊着部の形成領域と重複するように開口部が構成されているとともに、
前記開口部を両端部とする、前記梱包箱の破断部が形成されている、
ことを特徴とする梱包箱。
【請求項２】
請求項１に記載の梱包箱であって、前記破断部は、相対向する二つの破断線によって形成されるジップラインであり、前記ジップラインの両端を破断した際に前記開口部が形成されることを特徴とする梱包箱。
【請求項３】
請求項２に記載の梱包箱であって、前記ジップラインの両端に連続する孔が形成されていることを特徴とする梱包箱。
【請求項４】
請求項１〜請求項３のいずれかに記載の梱包箱であって、前記開口部を両端として、前記破断部に対向する他の破断部が形成されていることを特徴とする梱包箱。
【発明の詳細な説明】
【技術分野】
【０００１】
本発明は梱包箱に関する。
【背景技術】
【０００２】
店頭における商品の陳列形態として、フック陳列がある。フック陳列は、商品本体が収納された商品パッケージを棒状のフックに吊り下げて陳列する方法である。フック陳列用の商品パッケージは、ハンガータイプなどと呼ばれ、ハンガータイプの商品パッケージとしては、例えば、ブリスターパックがある。
【０００３】
図１にブリスターパックの一例を示した。図１（Ａ）はブリスターパック２０の外観図であり、図１（Ｂ）は複数のブリスターパック２０をフック陳列した状態を示している。図１（Ａ）に示したように、ブリスターパック２０は、厚紙などからなる台紙２１の一主面に、商品の形状に成形された内部空間を有するカップ状の容器部２２を備えてなる。そして、ブリスターパック２０は、台紙２１において、容器部２２が配置されていない所定の位置に、自身をフックに吊り下げるための吊着部２３を備えている。ここに示したブリスターパック２０では、吊着部２３として孔が形成されている。
【０００４】
ブリスターパック２０をフック陳列する場合は、図１（Ｂ）に示したように、孔からなる吊着部２３にフック３０を挿通する。なお、以下の非特許文献１や２には、ブリスターパック２０以外のフック陳列用の商品パッケージについて記載されている。また、以下の非特許文献３には、吊着部のない商品パッケージに吊着部を設けるためのポリフックと呼ばれる陳列用部材について記載されている。
【先行技術文献】
【非特許文献】
【０００５】
【非特許文献１】株式会社坂井印刷所、”ハンガータイプ”、[online]、[平成３１年２月６日検索]、インターネット＜ＵＲＬ：http://www.shikishiki.com/type-box/type_08.html＞
【非特許文献２】株式会社清和、”陳列方法に合わせたパッケージの選び方”、[online]、[平成３１年２月６日検索]、インターネット＜ＵＲＬ：https://opening-support.net/column/display.php＞
【非特許文献３】株式会社正浩、”ポリフック”、[online]、[平成３１年２月６日検索]、インターネット＜ＵＲＬ：http://seiko-inc.jp/buzai29.html＞
【発明の概要】
【発明が解決しようとする課題】
【０００６】
商品パッケージの形態で販売される物品は、普通、複数個が一つの箱に梱包された状態で製造元から店舗まで配送される。フック陳列用の商品パッケージを店頭に陳列する際には、まず、梱包用の箱を開梱して複数の商品パッケージを取り出す。そして、店頭に設置されているフックに、商品パッケージを一つずつ吊り下げていく。そのため、全ての商品パッケージを陳列するまでに、長い時間が掛かる。また、商品パッケージを乱雑に開梱し、複数の商品パッケージの表裏がばらばらになってしまえば、商品パッケージをフックに吊り下げる際に、商品パッケージの表裏を確認しながら表裏を揃えるという繁雑な作業が必要となる。
【０００７】
そこで本発明は、吊着部を備えた複数の商品パッケージを容易にフックに吊り下げることができる梱包箱を提供することを目的としている。
【課題を解決するための手段】
【０００８】
上記目的を達成するための本発明は、
吊り下げて陳列するための吊着部が形成されている商品パッケージを収納するための梱包箱であって、
複数の前記商品パッケージを前記吊着部を整列させた状態で並べて収納でき、
複数の前記商品パッケージが前記吊着部が整列するように収納された状態で、前記整列方向から見て前記吊着部の形成領域と重複するように開口部が構成されているとともに、
前記開口部を両端部とする、前記梱包箱の破断部が形成されている
ことを特徴とする梱包箱としている。
【０００９】
前記破断部は、相対向する二つの破断線によって形成されるジップラインであり、前記ジップラインの両端を破断した際に前記開口部が形成される梱包箱とすることもできる。さらに、前記ジップラインの両端に連続する孔が形成されている梱包箱としてもよい。
【００１０】
前記開口部を両端として、前記破断部に対向する他の破断部が形成されている梱包箱とすればより好ましい。
【発明の効果】
【００１１】
本発明によれば、吊着部を備えた複数の商品パッケージを容易にフックに吊り下げることができる梱包箱が提供される。なお、その他の効果については以下の記載で明らかにする。
【図面の簡単な説明】
【００１２】
【図１】吊着部を備えた商品パッケージの一例であるブリスターパックを示す図である。
【図２】本発明の実施例に係る梱包箱を示す図である。
【図３】上記実施例に係る梱包箱において、商品パッケージを収納する際の状態を示す図である。
【図４】上記実施例に係る梱包箱の開梱手順と、当該梱包箱に収納されている商品パッケージをフック陳列する際の手順とを示す図である。
【図５】上記商品パッケージのその他の陳列方法を示す図である。
【図６】本発明のその他の実施例に係る梱包箱を示す図である。
【発明を実施するための形態】
【００１３】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１４】
＝＝＝実施例＝＝＝
本発明の実施例は、吊り下げて陳列するための吊着部が形成されている商品パッケージを収納するための梱包箱である。そして、複数の商品パッケージが吊着部を整列させた状態で並べて収納された状態では、その整列方向から見て吊着部の形成領域と重複するように開口部が構成されている。さらに、実施例に係る梱包箱には、開口部を両端部とした破断部が構成されている。
【００１５】
＜梱包箱の構造＞
以下では、本発明の実施例として図１に示したブリスターパック２０を複数収納するための梱包箱を挙げる。図２は、実施例に係る梱包箱１の外観を示す図である。ここで、図示したように、右手系のｘｙｚ三次元直交座標系を規定するとともに、便宜的に、ｘ軸方向を幅方向（あるいは左右方向）、ｙ軸方向を奥行き方向（あるいは前後方向）、ｚ軸方向を高さ方向（あるいは上下方向）とする。また、上記座標系において、原点ｏに対してｘ軸、ｙ軸、およびｚ軸のそれぞれの正方向を右方向、後方、および上方とする。なお、上記座標系や各方向は、空間に対しては相対的であり、梱包箱１に対しては絶対的であるものとする。すなわち、上記座標系や各方向は、梱包箱１の天地を逆にするなど、梱包箱１の姿勢を変化させても、その姿勢に追従するものとする。そして、図２（Ａ）は、梱包箱１を右上前方から見たときの斜視図であり、図２（Ｂ）は、梱包箱１を右下後方から見たときの斜視図である。
【００１６】
実施例に係る梱包箱１は、一枚の台紙から組み立てられてなり、図２（Ａ）、図２（Ｂ）に示したように、ｘ、ｙ、ｚの各軸方向に辺を有する略直方体の箱である。上述したように、梱包箱１における左右、前後、および上下の各方向を規定すると、図２（Ａ）に示したように、梱包箱１の上面（以下、天面２と言うことがある）の左右中央には、前後方向に延長しつつ、互いに略平行となるように左右方向で対向する二本の破断線からなるジップライン１０が破断部として形成されている。そして、天面２のジップライン１０は、そのまま前面、および後面における所定の高さ位置まで延長している。また、前面４、および後面５には、下方に凸となる半円形の孔１１が形成されおり、ジップライン１０の端部が、この半円形の孔１１の直径となっている。そして、前面４と後面５とにおける孔１１やジップライン１０の端部は、前後方向で対面するように形成されている。
【００１７】
また、実施例に係る梱包箱１は、ジップライン１０とは別の破断部として、前面４と後面５とにおける孔１１を両端としつつ、ジップライン１０に対して上下方向で対向する破断部も形成されている。具体的には、図２（Ｂ）に示したように、下面（以下、底面３と言うことがある）の左右中央に、前後方向に延長する一本のミシン目からなる破断線１２がジップライン１０とは別の他の破断部として形成されている。そして、底面３の破断線１２は、そのまま前面４、および後面５における上記の半円形の孔１１に連続している。
【００１８】
なお、実施例に係る梱包箱１は、図３に示したように、左面６が、差し込み２６を有するフラップ１６になっている。商品パッケージ２０は、このフラップ１６が開いている状態で、奥行き方向を整列方向として、梱包箱１内に収納される。すなわち、商品パッケージ２０は、当該商品パッケージ２０の台紙２１の厚さ方向が梱包箱１の奥行き方向となるように、所定の個数分並べられた状態で収納される。また、各商品パッケージ２０は、容器部２２に対して吊着部２３が梱包箱１の上方側に位置するように収納される。また、梱包箱１を封止して商品パッケージ２０を梱包するためには、梱包箱１の内方に差し込み２６を挿入してフラップ１６を閉じ、その差し込み２６と梱包箱１の内面とをのり付けすればよい。フラップ１６のある左面６と、当該左面６に対して、差し込み２６がある側に接している天面２との間に粘着テープを貼って梱包箱１を封止することもできる。いずれにしても、梱包箱１の搬送中にフラップ１６が開かないようにしておけばよい。
【００１９】
梱包箱１は、商品パッケージ２０が収納されている状態で、前面４と後面５とにおけるジップライン１０の形成領域１０ａに対応するｚｘ面上の座標領域の一部あるいは全部が、商品パッケージ２０の吊着部２３のｚｘ面上の座標領域と重複するように設計されている。すなわち、ジップライン１０の前面４と後面５とにおけるジップライン１０の形成領域１０ａを破断し、その領域１０ａに矩形状の開口部を形成したときに、前後方向から梱包箱１を見ると、開口部の形成領域と吊着部２３の形成領域とが重複して、開口部と吊着部２３とを通して前後方向（複数の商品パッケージ２０の整列方向）を見通せるようになる。
【００２０】
＜開梱と商品パッケージの陳列＞
実施例に係る梱包箱１は、上述した構成や構造により、吊着部２３を備えた商品パッケージ２０を容易にフック陳列することができるようになっている。図４に、梱包箱１の開梱手順と商品パッケージ２０の陳列手順とを示した。まず、図４（Ａ）に示したように、前面４と後面５とに形成されている孔１１に指を掛けてジップライン１０を破断する。それによって、梱包箱１の前面４と後面５とに矩形状の開口部１０ｂが形成され、その開口部１０ｂと複数の商品パッケージ２０のそれぞれの吊着部２３とを通して前後方向を見通せるようになる。
【００２１】
次に、図４（Ｂ）に示したように、複数の商品パッケージ２０の吊着部２３にフック３０を一括して挿通する。そして、図４（Ｃ）に示したように、破断されたジップライン１０の左右の縁を手１００で持って、梱包箱１を左右方向に開きつつ、前面４と後面５とにおける破断線１２を破断させていく。そして、最終的に前面４と後面５とにおける破断線１２に連続する底面３側の破断線１２が破断し、梱包箱１の開梱作業が完了する。また、梱包箱１内に収納されていた全ての商品パッケージ２０は、すでに、吊着部２３がフック３０に挿通された状態になっているので、図４（Ｄ）に示したように、商品パッケージ２０の陳列作業も完了する。
【００２２】
なお、開梱手順としては、上記手順に限らず、例えば、前面４と後面５とにおけるジップライン１０の形成領域１０ａのみを破断した時点でフック３０を吊着部２３に挿通してもよい。そして、天面２側の残りのジップライン１０を破断して図４（Ｂ）に示した状態にしてもよい。いずれにしても、前面４と後面５とにおいて、吊着部２３の形成位置に対応する領域１０ａに開口部１０ｂを形成し、複数の商品パッケージ２０のそれぞれの吊着部２３に一括してフック３０を挿通させればよい。その上で、梱包箱１を左右に分割して開梱すればよい。
【００２３】
このように実施例に係る梱包箱１では、簡素な手順によって、開梱作業と、商品パッケージ２０の吊着部２３にフック３０を挿通させる作業とを並行して実施することができる。そのため、梱包状態にある商品パッケージ２０を、短時間でフック陳列させることができる。
【００２４】
＜その他の陳列形態＞
吊着部２３がある商品パッケージ２０は、一般的に、店頭においてフック陳列される。しかし、店舗によってはフック陳列用の什器が設置されてない場合もある。あるいは、他の商品の陳列形態との統一性を考慮して敢えてフック陳列をしない場合もある。そして、実施例の梱包箱１は、このような場合にも対応することができる。具体的には、実施例に係る梱包箱１は、前面４、天面２、後面５、および底面３を周回するように破断線（１０、１２）が形成されており、商品パッケージ２０の吊着部２３をフック３０に挿通させずに、梱包箱１を開梱すると、梱包箱１が、破断線（１０、１２）を境界にして左右に分割される。実施例に係る梱包箱１では、その分割された一方の部分を商品棚に商品パッケージを陳列する際の箱として使用することができる。図４に、実施例に係る梱包箱１を用いた商品パッケージ２０のその他の陳列形態を示した。図示した例では、二分割された梱包箱１の右側を陳列用の箱として用いている。
【００２５】
＝＝＝その他の実施例＝＝＝
上記実施例に係る梱包箱１に収納されていた商品パッケージ２０は、孔からなる吊着部２３を備えていたが、当然のことながら、吊着部２３は、フック３０に吊り下げ可能であれば、どのような形状であってもよい。例えば、非特許文献３に記載されているポリフックのような鈎型であってもよい。もちろん、商品パッケージ２０は、ブリスターパックに限定されない。吊着部２３を有しているものであれば、ラミネートパックや奥行き方向に扁平な箱など、様々な形態や形状の商品パッケージに適用することができる。
【００２６】
実施例に係る梱包箱１は、フック３０を内部の商品パッケージ２０の吊着部２３に通す際の開口部１０ｂを、前面４および後面５におけるジップライン１０の領域１０ａを破断することで形成していたが、ジップライン１０などの破断部を天面２にのみ形成しておくとともに、前面４、および後面５における吊着部２３の形成位置に対応する領域に、当初から開口部１０ｂを形成しておいてもよい。あるいは、吊着部２３の位置と指を掛けて開封のきっかけを作る孔１１との位置とを合わせておけば、この孔１１をフック３０の挿通孔として用いることもできる。もちろん、開口部１０ｂのみを形成しておき、指を掛けるための孔１１はなくてもよい。
【００２７】
梱包箱１の天面２に、前面４と後面５とを連絡する開口部１０ｂを形成するための破断部は、ジップライン１０でなくてもよく、例えば、ミシン目などからなる一本の破断線であってもよい。また、実施例に係る梱包箱１では、前面４から底面３を経て後面に至る他の破断部が、ミシン目からなる破断線１２で形成されていたが、他の破断部は、ジップラインであってもよい。
【００２８】
上記実施例に係る梱包箱１では、開梱を極めて容易にしつつ、フック陳列以外の陳列形態にも対応できるように、前面４から底面３を経て後面５に至る破断線１２が設けられていたが、この破断線１２はなくてもよい。そして、破断線１２がない梱包箱１を開梱する際は、内部の商品パッケージ２０の吊着部２３にフック３０を一括して挿通させた後、天面２を左右方向に引き裂いて梱包箱１の下側を破ればよい。あるいは、商品パッケージ２０を上方から取り出せる程度になるまで、梱包箱１を左右に大きく開けばよい。
【００２９】
梱包箱１の形状は直方体などの方形に限らない。内部に収納される商品パッケージのｚｘ面の形状に沿う形状であればよい。例えば、図６に示した梱包箱１０１のように、天面２と底面３が半円柱状であってもよい。いずれにしても、前面４と後面５とに吊着部２３を通して前後を見通せる開口部１０ｂが配置され、その開口部１０ｂに連続しつつ天面２を左右に分割する破断線１０が形成されていればよい。
【００３０】
なお、上記実施例に係る梱包箱１は紙製であったが、破断部の形成領域を破断することができれば、プラスチックなど、他の素材で形成されていてもよい。
【符号の説明】
【００３１】
１，１０１  梱包箱、２  上面(天面）、３  下面（底面）、４  前面、５  後面、
６  左面、７  右面、１０  ジップライン（破断部）、１１  指掛け用の孔、
１０ａ  前面と後面とにおけるジップラインの形成領域、１０ｂ  開口部、
１２  破断線(他の破断部)、２０  商品パッケージ、２１  台紙、２２  容器部、
２３  吊着部
【図１】
2020152386.tif 000003
【図２】
2020152386.tif 000004
【図３】
2020152386.tif 000005
【図４】
2020152386.tif 000006
【図５】
2020152386.tif 000007
【図６】
2020152386.tif 000008